(57)【要約】【課題】屋根の下に水が滲み出たりすることがなく、かつコストを抑えた屋根及びそれが用いられている簡易屋根構造物を提供する。【解決手段】複数の屋根材４が並列されて形成されている屋根Ｙであって、隣り合う前記屋根材４の一方には、少なくとも２個の縦壁４２１と第一の底板４２２とで形成された第一の溝部４２が長手方向に設けられ、他方の屋根材４には、前記第一の溝部４２の少なくとも２個の縦壁４２１に当接する様に形成された少なくとも２個の縦壁４３１と天板４３２とで形成された覆い部４３が長手方向に設けられ、前記第一の溝部４２が覆い部４３で覆われるようにする。【選択図】        図１
2019116740.tif 000002
【特許請求の範囲】
【請求項１】
複数の屋根材が並列されて形成されている屋根であって、隣り合う前記屋根材の一方には、少なくとも２個の縦壁と第一の底板とで形成された第一の溝部が長手方向に設けられ、他方の屋根材には、前記第一の溝部の少なくとも２個の縦壁に当接する様に形成された少なくとも２個の縦壁と天板とで形成された覆い部が長手方向に設けられ、前記第一の溝部が覆い部で覆われていることを特徴とする屋根。
【請求項２】
前記第一の溝部の下側に第三の縦壁が長手方向に設けられ、前記覆い部の下側に第三の縦壁が長手方向に設けられ、それら第三の縦壁どうしが当接されていることを特徴とする請求項１に記載の屋根。
【請求項３】
前記覆い部から下方に向けて第四の縦壁が長手方向に突設され、この第四の縦壁と前記覆い部の下方に設けられた第三の縦壁とこの２個の縦壁をつなぐ第二の底板とにより、第二の溝部が形成されていることを特徴とする請求項２に記載の屋根。
【請求項４】
前記溝部から下方に突出する突出部が設けられていることを特徴とする請求項１〜３のいずれか一項に記載の屋根。
【請求項５】
請求項１〜４のいずれか一項に記載されている屋根が用いられて形成されていることを特徴とする簡易屋根構造物。
【発明の詳細な説明】
【技術分野】
【０００１】
本発明は、駅前広場、ショッピングセンター、公園などに設置された簡易屋根構造物などの屋根及びそれが用いられている簡易屋根構造物に関するものである。
【背景技術】
【０００２】
従来、駅前広場、ショッピングセンター、公園などに設置された簡易屋根構造物などの屋根としては、屋根材と、該屋根材が固定される梁とを備える屋根であって、前記梁には、樋部が形成されており、前記屋根材と、前記樋部との間には、水が該樋部に流れ込むための隙間が空けられている屋根が提案されている（特許文献１）。
【先行技術文献】
【特許文献】
【０００３】
【特許文献１】特開２０１２−８７５１９
【発明の開示】
【発明が解決しようとする課題】
【０００４】
上記屋根は、上記構造となされることにより、雨水が溜まることがなく、雨水によって屋根材が汚れたり、屋根の下に水が滲出したりすることがない屋根となされてはいるものの、前記屋根材と前記樋部との間には隙間が空けられて、水が流れ込むための樋部がその下に設けられている構造となっているため、複数の屋根材を用いて屋根を形成する場合、屋根材と屋根材との間に複数の樋部を設ける必要があり、樋部の材料費やそれを取付ける施工費が追加で必要となり、コスト高の屋根となってしまうものであった。
【０００５】
本発明は、前記の如き問題点を解消し、屋根の下に水が滲み出たりすることがなく、かつコストを抑えた屋根及びそれが用いられている簡易屋根構造物を提供せんとするものである。
【課題を解決するための手段】
【０００６】
上記目的を達成するために、本発明は次のような構成としている。
すなわち、本発明に係る屋根は、複数の屋根材が並列されて形成されている屋根であって、隣り合う前記屋根材の一方には、少なくとも２個の縦壁と第一の底板とで形成された第一の溝部が長手方向に設けられ、他方の屋根材には、前記第一の溝部の少なくとも２個の縦壁に当接する様に形成された少なくとも２個の縦壁と天板とで形成された覆い部が長手方向に設けられ、前記第一の溝部が覆い部で覆われていることを特徴とするものである。
【０００７】
また本発明に係る屋根は、前記第一の溝部の下側に第三の縦壁を長手方向に設け、前記覆い部の下側に第三の縦壁を長手方向に設け、それら第三の縦壁どうしを当接するようにしてもよい。
【０００８】
また本発明に係る屋根は、前記覆い部から下方に向けて第四の縦壁を長手方向に突設し、この第四の縦壁と前記覆い部の下方に設けられた第三の縦壁とこの２個の縦壁をつなぐ第二の底板とにより、第二の溝部を形成するようにしてもよい。
【０００９】
また本発明に係る屋根は、前記溝部から下方に突出する突出部を設けるようにしてもよい。
【００１０】
また本発明に係る簡易屋根構造物は、上記屋根材が用いられて形成されていることを特徴とするものである。
【発明の効果】
【００１１】
本発明に係る屋根によれば、隣り合う前記屋根材の一方には、少なくとも２個の縦壁と第一の底板とで形成された第一の溝部が長手方向に設けられ、他方の屋根材には、前記第一の溝部の少なくとも２個の縦壁に当接する様に形成された少なくとも２個の縦壁と天板とで形成された覆い部が長手方向に設けられ、前記第一の溝部が覆い部で覆われているので、屋根の上面に雨が降った場合、その雨水が２組の当接された前記縦壁により２重に邪魔されて、屋根の下面に水が滲み出したりすることがない。もしも、１組の当接された前記縦壁の間を通って雨水が侵入してきたとしても、もう１組、すなわち２組目の当接された縦壁により雨水が屋根の下面に滲み出ることが阻止され、その雨水は前記第一の溝部を通って外方に排出されるようになされている。
【００１２】
また本発明に係る屋根によれば、前記第一の溝部の下側に第三の縦壁を長手方向に設け、前記覆い部の下側に第三の縦壁を長手方向に設け、それら第三の縦壁どうしを当接させているので、もし万が一、前記２組目の当接された縦壁の間を通って雨水が侵入してきたとしても、前記第三の縦壁により、雨水が屋根の下面に滲み出ることが阻止されるようになされている。
【００１３】
また本発明に係る屋根によれば、前記覆い部から下方に向けて第四の縦壁を長手方向に突設し、この第四の縦壁と前記覆い部の下方に設けられた第三の縦壁とこの２個の縦壁をつなぐ第二の底板とにより、第二の溝部を形成しているので、もし万が一、前記２組目の当接された縦壁の間を通って雨水が侵入してきたとしても、前記第三の縦壁により屋根の下面に滲み出ることが阻止された雨水が前記第二の溝部を通って外方に排出されるようになされ、雨水が屋根の下面に滲み出ることが阻止される。
【００１４】
また本発明に係る屋根によれば、前記溝部から下方に突出する突出部を設けているので、もし万が一、前記２組目の当接された縦壁の間を通って雨水が侵入してきたとしても、雨水が前記突出部を伝わり第二の溝部に導かれ、第二の溝部を通って外方に排出されるようになされている。更には、前記突出部を他方の前記屋根材の縦壁に引っ掛けることができるので、この屋根を施工する際、前記屋根材の一方を他方に引っ掛けて仮置きして順次施工することができるため、屋根を効率良く施工することができる。
【００１５】
また本発明に係る簡易屋根構造物によれば、上記屋根が用いられて簡易屋根構造物が形成されているので、雨水が屋根の下面に滲み出ることがなく、また簡易屋根構造物を効率良く施工することができる。
【図面の簡単な説明】
【００１６】
【図１】本発明に係る簡易屋根構造物の一つの実施形態を示す斜視図である。
【図２】図１に示す簡易屋根構造物を構成する屋根の要部断面図である。
【図３】図１に示すＡ部の拡大図である。
【図４】図１に示す簡易屋根構造物の屋根を構成する屋根材の斜視図である。
【図５】図１に示す簡易屋根構造物の屋根を構成する屋根材を施工する状態を示す説明図である。
【図６】図１に示す簡易屋根構造物の屋根の後側を示す要部拡大側面図である。
【発明を実施するための形態】
【００１７】
次に、本発明を実施するための形態について図面を参照し、具体的に説明する。なお、本実施形態はあくまでも本発明を理解するための一例を示したに過ぎず、各部の形状、構造、材質等に関し、本実施形態以外のバリエーションが、本発明の要旨を逸脱しない範囲内で許容されていることは言うまでもない。また、各図面に記載の前（正面）後（背面）左右上下の方向を明細書でも表記している。
【００１８】
図面において、１は本発明に係る簡易屋根構造物Ｐを構成する支柱であり、その上部には梁材２が前方に突設されている。そして、複数個（本実施形態においては４個）の桁材３が前記梁材２に架け渡され、それらの桁材３に複数個の屋根材４が並列されて取付けられている。
【００１９】
前記屋根材４は、その中央上面側に蟻溝部４１が長手方向に設けられ、その一方の端部には２個の縦壁４２１と第一の底板４２２とで形成された第一の溝部４２が長手方向に設けられ、その他方の端部には隣り合う屋根材４の前記第一の溝部の縦壁４２１に当接する様に形成された２個の縦壁４３１と天板４３２とで形成された覆い部４３が長手方向に設けられている。そして、前記屋根材４の第一の溝部４２が隣り合う前記屋根材４の端部に設けられた覆い部４３で覆われている。
【００２０】
詳細には、一方の端部に形成されている前記第一の溝部４２の２個の縦壁４２１の左側面と、それに隣り合う前記屋根材４の他方の端部に倒コの字状に形成されている前記覆い部４３の２個の縦壁４３１の右側面とがそれぞれ当接されて、第一の溝部４２が隣り合う前記屋根材４の端部に設けられた覆い部４３で覆われている。
【００２１】
また、前記第一の溝部４２の２個の縦壁４２１のうち、右側に配置されている縦壁４２１は左側に配置されている縦壁４２１よりも低く形成され、その左側面と前記覆い部４３の右側に配置されている縦壁４３２の右側面とが当接されて、複数個の屋根材４が並列されて形成されている屋根Ｙに降った雨水が屋根Ｙの下面に滲み出ることが阻止されるようになされている。
【００２２】
また、前記第一の溝部４２の２個の縦壁４２１のうち、左側に配置されている縦壁４２１の左側面と前記覆い部４３の左側に配置されている縦壁４３２の右側面とが当接されて、屋根Ｙに降った雨水が屋根Ｙの下面に滲み出ることが阻止されるようになされている。更に、前記第一の溝部４２の左側に配置されている縦壁４２１の上端が前記覆い部４３の天板４３２の下面端部と当接されており、屋根Ｙに降った雨水が屋根Ｙの下面に滲み出ることが阻止され、その雨水は前記第一の溝部４２を通って外方に排出されるようになされている。
【００２３】
また、前記第一の溝部４２の左側に配置されている縦壁４２１は、その中央が反転したコの字状に凹んで形成されている。これは、簡易屋根構造物Ｐの左最端部に配置されている屋根材４２の左側面を覆う化粧板部材を取付けるための逆Ｌ字状の取付部材を取付ける取付ネジのネジ頭を、その反転したコの字状に凹んだ部分に収容するために、その様な形状に形成されている。これにより、前記取付ネジのネジ頭が前記縦壁４２１の左側面から左側に突出しないので、縦壁４２１の左側面の左側に配置される前記化粧板部材が浮き上がることがない。
【００２４】
前記第一の溝部４２の左側に配置されている縦壁４２１の下端から下方に向けて縦板状の突出部４４が設けられている。これにより、もし万が一、前記第一の溝部４２の左側に配置されている縦壁４２１と前記覆い部４３の左側に配置されている縦壁４３１との間を伝って雨水が侵入してきたとしても、雨水が前記突出部４４を伝わり後述する第二の溝部４５に導かれ、この第二の溝部４５を通って外方に排出されるようになされている。更には、前記突出部４４を他方の前記屋根材４に設けられている後述する第三の縦壁４５１に引っ掛けることができるので、この屋根Ｙを施工する際、前記屋根材４の一方の端部に設けられている突出部４４を隣り合う屋根材４の端部に設けられている第三の縦壁４５１に引っ掛けて仮置きして順次施工することができるため、屋根を効率良く施工することができる。
【００２５】
また、前記第一の溝部４２の第一の底板４２２の中央から下方に向けて第三の縦壁４２３が突設されている。この第三の縦壁４２３は前記第一の底板４２２の中央から垂下され、途中で右側に折れ曲がり、更に垂下されると共に、その下部の左側面から水平な平板状の当接片４２４が隣り合う屋根材４に向けて、すなわち左側に向けて突設されている。この当接片４２４と後述する前記覆い部４３の下側に設けられている第三の縦壁４５１とが当接されるようになされている。
【００２６】
また、前記第一の溝部４２の第一の底板４２２端部が前記蟻溝部４１の左側端まで水平に延設され、前記屋根材４の上側の水平面部４６となされている。また、前記蟻溝部４１の右側端から前記覆い部４３の左側の縦壁４３１の下端まで水平に前記屋根材４の上側の水平面部４６が設けられている。そして、前記第一の溝部４２の下側に設けられた第三の縦壁４２３の下端から後述する前記覆い部４３の第四の縦壁４５２まで水平に前記屋根材４の下側の水平面部４７が設けられている。つまり、前記屋根材４は水平面が二重に設けられた構造となっている。
【００２７】
前記覆い部４３から下方に向けて第四の縦壁４５２が長手方向に突設され、その下端から第一の底板４５３が水平に延設され、その第二の底部４５３の端縁から上方に向けて第三の縦壁４５１が長手方向に立設されて、前記第四の縦壁４５２と前記覆い部４３の下側に設けられた第三の縦壁４５１とこの２個の縦壁４５１，４５２をつなぐ第一の底板４５３とにより、第二の溝部４５が前記覆い部の下方に形成されている。
【００２８】
前記第三の縦壁４５２は、第一の底板４５３の一端から上方に立設された第一の立設部４５４と、その第一の立設部４５４の上端から隣り合う屋根材４側、すなわち右側に向けて水平に延設された水平板部４５５と、その水平板部４５５の中央から上方に立設された第二の立設部４５６とを備えている。そして、上述の様に、前記第一の溝部４２の下方に設けられた第三の縦壁４２３に備えられている当接片４２３の上面と前記覆い部４３の下側に設けられた第三の縦壁４５２に備えられている水平板部４５５の下面とが当接されると共に、前記当接片４２３の先端と前記覆い部４３の下側に設けられた第三の縦壁４５２に備えられている第一の立設部４５４の右側面とが当接されている。
【００２９】
この様に、第三の縦壁どうし４２３、４５２が当接されていることにより、もし万が一、前記覆い部４３の左側の縦壁４３１と第一の溝部４２の左側の縦壁４２１との間を通って雨水が浸入してきたとしても、当接された前記第三の縦壁４２３，４５２により屋根Ｙの下面に滲み出ることを阻止された雨水が前記第二の溝部４５を通って外方に排出されるようになされ、雨水が屋根Ｙの下面に滲み出ることがない。
【００３０】
前記蟻溝部４１は、長手方向に上方に開口した開口部４１１と、この開口部４１１の下側に開口部４１１の開口幅より広く形成された蟻溝４１２と、前記屋根材４を桁材３に取付ける際に用いる固定具であるボルトＢとナットＮとを収容する固定具収容部４１３とを備えている。そして、本実施形態においては、１個の前記屋根材４あたり、前記固定具収容部４１３に４個のナットＮを収容し、前記蟻溝４１に４個の平板ワッシャーＷを挿入し、それらをボルトＢで固定して、前記屋根材４を桁材３に取付け、その桁材３が梁材２に取付けられる様になされている。
【００３１】
連設されている複数の前記屋根材４は、両サイドと前側とを化粧材Ｋにより囲繞し、屋根板４の断面や側面が覆い隠されている。そして、連設されている複数の前記屋根材４の後側には横樋５が取付けられ、屋根材４を伝ってくる雨水などを受け、それを所定の位置に設けられている縦樋６から設置面に排出するようになされている。
【００３２】
前記横樋５は、屋根Ｙから導水される雨水などを受け縦樋６に導く樋部５１と、横樋５を取付金具７により屋根Ｙに取付ける際に、取付金具７が係止される取付金具係止部５２とを備えている。また、前記取付金具７は所定の間隔をあけて、屋根材４の延設方向である左右方向に配置されており、その取付金具７の樋部５１から露出している部分と屋根材４の後端とを隠蔽するように、左右方向に横長の化粧カバー８が取付けられている。また、前記横樋５の前側には所定の間隔をあけて照明灯（図示せず）が取付けられており、その照明灯用の配線を隠蔽するために、前記横樋５の前側に配置されている照明灯間を覆うように、照明灯用化粧材９が取付けられている。
【００３３】
次に図５に記載の屋根材４の施工手順を説明する。
図５（ａ）は、前記蟻溝部４１の固定具収容部４１３に収容されたナットＮと前記蟻溝４１に挿入された平板ワッシャーＷとボルトＢとを用いて前記桁材３に２個の屋根材４が取付けられた状態を示している。そして、右側の屋根材４の第二の溝部４５の第二の立設部４５６に３個目の屋根材４の突出部４４が引っ掛けられ、仮置き状態となされている。
【００３４】
そして、図５（ａ）の矢印方向である上方に３個目の前記屋根材４を持ち上げ前記桁材３の下面に当接させ、３個目の前記屋根材４の蟻溝部４１の固定具収容部４１３に収容されたナットＮと前記蟻溝４１に挿入された平板ワッシャーＷとにボルトＢを螺入させて、図５（ｂ）に示すように、３個目の前記屋根材４を桁材３に固定する。これを順次繰り返すことにより、前記突出部４４を隣り合う屋根材４の第二の溝部４５に引っ掛けることができるので、この屋根Ｙを施工する際、前記屋根材４の一方を他方に引っ掛けて仮置きして順次施工することができ、屋根Ｙが効率良く形成される。
【００３５】
上述の通り、本実施形態においては、前記第一の溝部４２の第三の縦壁４２３は、第一の溝部４２の底板４２２の中央から垂下され、途中で右側に折れ曲がり、更に垂下されると共に、その下部の左側面から水平な平板状の当接片４２４が隣り合う屋根材４に向けて、すなわち左側に向けて突設されており、この当接片４２４と前記覆い部４３の下側に設けられている第三の縦壁４５１とが当接されるようになされているが、これに限定されるものではない。
【００３６】
すなわち、前記第一の溝部４２の第三の縦壁４２３に当接片４２４を設けることなく、第一の溝部４２の底板４２２の中央から垂下させたのみの垂直な縦壁状とし、前記覆い部４３の下側に設ける第三の縦壁４５１についても、上述の様な前記第一の底板４５３の一端から上方に立設された第一の立設部４５４と、その第一の立設部４５４の上端から隣り合う屋根材４側、すなわち右側に向けて水平に延設された水平板部４５５と、その水平板部４５５の中央から上方に立設された第二の立設部４５６とを備えたものではなく、前記第一の底板４５３の一端から上方に立設させたのみの縦壁状とし、前記第一の溝部４２の第三の縦壁４２３の左側面と覆い部４３の下側に設ける第三の縦壁４５１の右側面とを当接するようにしてもよい。
【符号の説明】
【００３７】
１    支柱
２    梁材
３    桁材
４    屋根材
４１  蟻溝部
４１１  開口部
４１２  蟻溝
４１３  固定具収容部
４２  第一の溝部
４２１  縦壁
４２２  第一の底板
４２３  第三の縦壁
４２４  当接部
４３  覆い部
４３１  縦壁
４３２  天板
４４  突出部
４５  第二の溝部
４５１  第三の縦壁
４５２  第四の縦壁
４５３  第一の底板
４５４  第一の立設部
４５５  水平板部
４５６  第二の立設部
５    横樋
５１  樋部
５２  取付金具係支部
６    縦樋
７    取付金具
８    化粧カバー
９    照明灯用化粧材
Ｂ    ボルト
Ｎ    ナット
Ｗ    平ワッシャー
Ｋ    化粧材
Ｙ    屋根
Ｐ    簡易屋根構造物
【図１】
2019116740.tif 000003
【図２】
2019116740.tif 000004
【図３】
2019116740.tif 000005
【図４】
2019116740.tif 000006
【図５】
2019116740.tif 000007
【図６】
2019116740.tif 000008